【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
電力を発電して、電力負荷に供給する燃料電池と、
前記燃料電池による発電電力を充電して蓄電し、蓄電した電力を放電して前記電力負荷に供給する複数の蓄電装置と
を備える電力供給システムであって、
前記複数の蓄電装置のうち、少なくとも一の蓄電装置は、任意のタイミングで充電および放電する動作モードである充放電モードで動作しており、
前記複数の蓄電装置のうち、少なくとも一の蓄電装置の動作モードを、満充電に達するまで充電させる充電モード、または放電が完了するまで放電させる放電モードのいずれかに決定し、放電モードに決定されている蓄電装置の放電が完了した場合に当該蓄電装置を充電モードに決定し、充電モードに決定されている蓄電装置が満充電に達した場合に当該蓄電装置を放電モードに決定するモード決定部と、
前記燃料電池による発電電力が前記電力負荷による消費電力より大きい場合に、当該発電電力と当該消費電力との差分の電力を用いて、充放電モードの蓄電装置及び／又は前記モード決定部によって充電モードに決定された蓄電装置に充電させ、前記燃料電池による発電電力が電力負荷による消費電力より小さい場合に、当該消費電力と当該発電電力との差分の電力を供給すべく、充放電モードの蓄電装置及び／又は前記モード決定部によって放電モードに決定された蓄電装置を放電させる制御部と
を備える電力供給システム。
【請求項２】
前記制御部は、前記燃料電池による発電電力が前記電力負荷による消費電力より大きい場合に、当該発電電力と当該消費電力との差分の電力を用いて、充電モードに決定された蓄電装置より優先して充放電モードの蓄電装置を充電させ、充放電モードの蓄電装置の蓄電量が予め定められた蓄電量の上限値以上である場合に、当該充放電モードの蓄電装置の蓄電電力を用いて、充電モードに決定された蓄電装置を充電する
請求項１に記載の電力供給システム。
【請求項３】
前記制御部は、前記燃料電池による発電電力が前記電力負荷による消費電力より小さい場合に、当該消費電力と当該発電電力との差分の電力を供給すべく、放電モードに決定された蓄電装置より優先して充放電モードの蓄電装置を放電させ、充放電モードの蓄電装置の蓄電量が予め定められた蓄電量の下限値以下に減少した場合に、当該充放電モードの蓄電装置を、放電モードに決定された蓄電装置の蓄電電力を用いて充電する
請求項２に記載の電力供給システム。
【請求項４】
前記制御部は、前記燃料電池による発電電力が前記電力負荷による消費電力より小さく、当該消費電力と当該発電電力との差分の電力がより大きい場合に、充放電モードの蓄電装置及び／又は放電モードに決定された蓄電装置の中から、より多い数の蓄電装置を選択して電力を供給させ、前記燃料電池による発電電力が前記電力負荷による消費電力より大きく、当該発電電力と当該消費電力との差分の電力がより大きい場合に、充放電モードの蓄電装置及び／又は充電モードに決定された蓄電装置の中から、より多い数の蓄電装置を選択して充電させる
請求項３に記載の電力供給システム。
【請求項５】
前記制御部は、放電モードに決定された蓄電装置に蓄電された蓄電電力量の合計量が、確保しておくべき予め定められた最低蓄電量より小さい場合において、充放電モードの蓄電装置によって蓄電されている電力量を用いて、充電モードに決定された少なくとも一の蓄電装置を満充電にすることができることを条件として、充放電モードの蓄電装置の蓄電電力を用いて少なくとも一の蓄電装置を満充電にさせる
請求項４に記載の電力供給システム。
【請求項６】
前記モード決定部は、前記複数の蓄電装置の中から、劣化度のより低い蓄電装置を選択して、選択した蓄電装置の動作モードを充放電モードに決定する
請求項５に記載の電力供給システム。
【請求項７】
前記モード決定部は、前記複数の蓄電装置の充放電モードで動作した時間が略同一になるよう、充放電モードで動作した時間がより短い蓄電装置を前記複数の蓄電装置の中から優先して選択し、選択した蓄電装置の動作モードを充放電モードに決定する
請求項６に記載の電力供給システム。
【請求項８】
前記複数の蓄電装置は、充放電の繰り返しによる性能の劣化の進行度合いが異なる蓄電装置を含んでおり、
前記充放電モードの蓄電装置は、充放電の繰り返しによる性能の劣化の進行度合いがより小さい蓄電装置を含む
請求項５に記載の電力供給システム。
【請求項９】
前記複数の蓄電装置は、蓄電池およびキャパシタを含んでおり、
前記充放電モードの蓄電装置は、キャパシタを含む
請求項８に記載の電力供給システム。
【請求項１０】
前記複数の蓄電装置は、充放電の繰り返しによる性能の劣化の進行度合いが異なる蓄電装置を含んでおり、
前記モード決定部は、充電モードまたは放電モードに決定する蓄電装置よりも、充放電の繰り返しによる性能の劣化の進行度合いがより小さい蓄電装置の動作モードを、優先して充放電モードに決定する
請求項７に記載の電力供給システム。
【請求項１１】
前記電力負荷による消費電力の履歴を管理する履歴管理部
を更に備え、
制御部は、前記履歴管理部によって管理される消費電力の履歴に基づいて、前記電力負荷によって将来消費される予測電力量を判断し、前記燃料電池が発電する電力量と当該予測電力量とを比較することによって、前記燃料電池が発電する電力量の予測電力量に対する過不足を判断し、前記燃料電池が発電する電力量が予測電力量に対して不足すると判断される場合に、充電モードに決定された蓄電装置のうち、充電することができる電力量がより少なく、かつ、より蓄電容量の大きい蓄電装置をより優先して充電させ、前記燃料電池が発電する電力量が予測電力量に対して過剰となると判断される場合に、放電モードに決定された蓄電装置のうち、放電させることができる電力量がより少なく、より蓄電容量の大きい蓄電装置から優先して放電させる
請求項１０に記載の電力供給システム。
【請求項１２】
前記電力負荷は複数設けられており、
前記燃料電池は、前記電力負荷ごとに設けられており、
前記蓄電装置は、前記燃料電池ごとに設けられており、
前記制御部は、前記燃料電池ごとに設けられており、
前記モード決定部は、前記燃料電池ごとに設けられており、それぞれの燃料電池に設けられた蓄電装置の動作モードを決定し、
前記制御部は、他の制御部との間で、それぞれの蓄電装置を充電させる旨を示す充電トークンと、それぞれの蓄電装置を放電させる旨を示す放電トークンとを通信し、充電トークンを受信した場合において、それぞれの燃料電池に設けられた蓄電装置の動作モードが充電モードであることを条件として当該蓄電装置を充電させ、当該蓄電装置が満充電になった場合に充電トークンを他の制御部に送信し、放電トークンを受信した場合において、それぞれの燃料電池に設けられた蓄電装置の動作モードが放電モードであることを条件として当該蓄電装置から放電させ、当該蓄電装置の放電が完了した場合に放電トークンを他の制御部に送信する
請求項１１に記載の電力供給システム。
【請求項１３】
燃料電池により電力を発電して、電力負荷に供給する段階と、
前記燃料電池による発電電力を、任意のタイミングで充電および放電する動作モードである充放電モードで動作する蓄電装置を含む複数の蓄電装置に充電して蓄電する蓄電段階と
を備える電力供給方法であって、
前記蓄電段階において、前記複数の蓄電装置のうち、少なくとも一の蓄電装置は、任意のタイミングで充電および放電する動作モードである充放電モードで動作しており、
前記複数の蓄電装置のうち、少なくとも一の蓄電装置の動作モードを、満充電に達するまで充電させる充電モード、または放電が完了するまで放電させる放電モードのいずれかに決定し、放電モードに決定されている蓄電装置の放電が完了した場合に当該蓄電装置を充電モードに決定し、充電モードに決定されている蓄電装置が満充電に達した場合に当該蓄電装置を放電モードに新たに決定するモード決定段階と、
前記燃料電池による発電電力が前記電力負荷による消費電力より大きい場合に、当該発電電力と当該消費電力との差分の電力を用いて、充放電モードの蓄電装置及び／又は前記モード決定段階によって充電モードに決定された蓄電装置に充電させ、前記燃料電池による発電電力が電力負荷による消費電力より小さい場合に、当該消費電力と当該発電電力との差分の電力を供給すべく、充放電モードの蓄電装置及び／又は前記モード決定段階によって放電モードに決定された蓄電装置を放電させる制御段階と
を備える電力供給方法。
【請求項１４】
複数の住居と、
複数の住居のそれぞれに設けられた複数の電力負荷と、
複数の住居のそれぞれに設けられ、電力負荷に電力を供給する複数の燃料電池と、
前記複数の燃料電池のそれぞれに設けられ、前記複数の燃料電池による発電電力を充電して蓄電する複数の蓄電装置とを備える建造物であって、
前記複数の蓄電装置のうち、少なくとも一の蓄電装置は、任意のタイミングで充電および放電する動作モードである充放電モードで動作しており、
前記複数の蓄電装置のうち、少なくとも一の蓄電装置の動作モードを、満充電に達するまで充電させる充電モード、または放電が完了するまで放電させる放電モードのいずれかに決定し、放電モードに決定されている蓄電装置の蓄電量が予め定めた蓄電量にまで減少した場合に当該蓄電装置を充電モードに決定し、充電モードに決定されている蓄電装置が満充電に達した場合に当該蓄電装置を放電モードに新たに決定するモード決定部と、
前記燃料電池による発電電力が前記電力負荷による消費電力より大きい場合に、当該発電電力と当該消費電力との差分の電力を用いて、充放電モードの蓄電装置及び／又は前記モード決定部によって充電モードに決定された蓄電装置に充電させ、前記燃料電池による発電電力が電力負荷による消費電力より小さい場合に、当該消費電力と当該発電電力との差分の電力を供給すべく、充放電モードの蓄電装置及び／又は前記モード決定部によって放電モードに決定された蓄電装置を放電させる制御部と
を備える建造物。
【手続補正２】
【補正対象書類名】明細書
【補正対象項目名】０００８
【補正方法】変更
【補正の内容】
【０００８】
制御部は、燃料電池による発電電力が電力負荷による消費電力より小さく、当該消費電力と当該発電電力との差分の電力がより大きい場合に、充放電モードの蓄電装置及び／又は放電モードに決定された蓄電装置の中から、より多い数の蓄電装置を選択して電力を供給させ、燃料電池による発電電力が電力負荷による消費電力より大きく、当該発電電力と当該消費電力との差分の電力がより大きい場合に、充放電モードの蓄電装置及び／又は充電モードに決定された蓄電装置の中から、より多い数の蓄電装置を選択して充電させてよい。
【手続補正３】
【補正対象書類名】明細書
【補正対象項目名】００１５
【補正方法】変更
【補正の内容】
【００１５】
本発明の第２の形態における電力供給方法は、燃料電池により電力を発電して、電力負荷に供給する段階と、燃料電池による発電電力を、任意のタイミングで充電および放電する動作モードである充放電モードで動作する蓄電装置を含む複数の蓄電装置に充電して蓄電する蓄電段階とを備える電力供給方法であって、蓄電段階において、複数の蓄電装置のうち、少なくとも一の蓄電装置は、任意のタイミングで充電および放電する動作モードである充放電モードで動作しており、複数の蓄電装置のうち、少なくとも一の蓄電装置の動作モードを、満充電に達するまで充電させる充電モード、または放電が完了するまで放電させる放電モードのいずれかに決定し、放電モードに決定されている蓄電装置の放電が完了した場合に当該蓄電装置を充電モードに決定し、充電モードに決定されている蓄電装置が満充電に達した場合に当該蓄電装置を放電モードに新たに決定するモード決定段階と、燃料電池による発電電力が電力負荷による消費電力より大きい場合に、当該発電電力と当該消費電力との差分の電力を用いて、充放電モードの蓄電装置及び／又はモード決定段階によって充電モードに決定された蓄電装置に充電させ、燃料電池による発電電力が電力負荷による消費電力より小さい場合に、当該消費電力と当該発電電力との差分の電力を供給すべく、充放電モードの蓄電装置及び／又はモード決定段階によって放電モードに決定された蓄電装置を放電させる制御段階とを備える。
【手続補正４】
【補正対象書類名】明細書
【補正対象項目名】００２８
【補正方法】変更
【補正の内容】
【００２８】
また、制御部５０は、燃料電池４０による発電電力が電力負荷４８による消費電力より小さく、当該消費電力と当該発電電力との差分の電力がより大きい場合に、充放電モードの蓄電装置４４及び／又は放電モードに決定された蓄電装置４４の中から、より多い数の蓄電装置４４を選択して電力を供給させ、燃料電池４０による発電電力が電力負荷４８による消費電力より大きく、当該発電電力と当該消費電力との差分の電力がより大きい場合に、充放電モードの蓄電装置４４及び／又は充電モードに決定された蓄電装置４４の中から、より多い数の蓄電装置４４を選択して充電させる。このように、より速い速度での消費電力の変動が発生した場合には、より多くの蓄電装置４４を用いて対応することができる。このため、個々の蓄電装置４４の時間当たりの充放電量を削減させることができるので、蓄電装置４４の性能が劣化する速度をさらに小さくすることができる。